(57)【特許請求の範囲】
【請求項１】
希望運転開始時刻又は希望運転終了時刻を示す希望時刻情報の入力を受け付ける入力部と、
前記受け付けた希望時刻情報に応じて定められる所定期間内において運転された場合に所定の条件を満たす運転開始時刻又は運転終了時刻と、その時の電気代を含むタイムシフト演算結果を取得する取得部と、
タイムシフト演算結果を評価するための基準値と、前記取得したタイムシフト演算結果とを比較する比較部と、
前記比較の結果に応じて表示色を変更して運転に関する情報を表示するための表示部と、
を備える電気機器。
【請求項２】
前記比較部は、前記入力部により受け付けられる希望時刻情報が変わる毎に前記比較を行う請求項１記載の電気機器。
【請求項３】
前記比較部は、前記入力部により受け付けられる希望時刻情報が入力されてから所定期間の間に入力動作がない場合に前記比較を行う請求項２記載の電気機器。
【請求項４】
前記基準値はユーザにより予め指定される範囲である請求項１記載の電気機器。
【請求項５】
前記ユーザにより予め指定される範囲は複数設定可能である請求項４記載の電気機器。
【請求項６】
前記基準値は、前記希望時刻情報による希望時刻における電気代とする請求項１記載の電気機器。
【請求項７】
前記基準値は、時間毎に変化する電力料金を示す電力料金情報に基いて演算される運転開始時刻から所定時間前の間の電力料金の平均値である請求項１記載の電気機器。
【請求項８】
前記入力部は数値の増減を受け付けるボタンであり、
前記ボタンの増減単位と前記表示部の表示方法が変更される時間単位とを合わせる請求
項１記載の電気機器。
【請求項９】
希望運転開始時刻又は希望運転終了時刻を示す希望時刻情報の入力を受け付ける入力部と、
前記受け付けた希望時刻情報に応じて定められる所定期間内において運転された場合に所定の条件を満たす運転開始時刻又は運転終了時刻と、その時の電気代を算出するタイムシフト演算部と、
タイムシフト演算の結果を評価するための基準値と前記算出されたタイムシフト演算の結果とを比較する比較部と、
前記タイムシフト演算結果に基づいて運転を制御する運転制御部と、
前記比較の結果に応じて表示色を変更して運転に関する情報を表示するための表示部と、
を備える電気機器の制御システム。
【請求項１０】
希望運転開始時刻又は希望運転終了時刻を示す希望時刻情報の入力をユーザから受け付け、
前記受け付けた希望時刻情報に応じて定められる所定期間内において運転された場合に所定の条件を満たす運転開始時刻又は運転終了時刻と、その時の電気代を含むタイムシフト演算結果を取得し、
タイムシフト演算の結果を評価するための基準値と前記取得したタイムシフト演算結果とを比較し、
前記比較の結果に応じて表示色を変更して、運転に関する情報を表示する、
電気機器の制御方法。
【請求項１１】
前記所定の条件は、課金される電気代が所定の料金以下となることである請求項１０に記載の電気機器の制御方法。
【請求項１２】
電気機器を制御するコンピュータプログラムであって、コンピュータを、
希望運転開始時刻又は希望運転終了時刻を示す希望時刻情報の入力をユーザから受け付けさせ、
前記受け付けた希望時刻情報に応じて定められる所定期間内において運転された場合に所定の条件を満たす運転開始時刻又は運転終了時刻と、その時の電気代を含むタイムシフト演算結果を取得させ、
タイムシフト演算の結果を評価するための基準値と前記取得したタイムシフト演算結果とを比較させ、
前記比較の結果に応じて表示色を変更して、運転に関する情報を表示させる、
コンピュータプログラム。
【発明の詳細な説明】
【技術分野】
【０００１】
本発明は、運転開始時刻又は運転終了時刻を制御する家電機器に関する。
【背景技術】
【０００２】
従来、一日のうちで電力会社の電力供給装置の負荷が低い時間帯を提示して各需要家にこの時間帯での電力の使用を促す電力負荷平準化システムが提案されている（例えば、特許文献１参照）。【０００３】
上記の電力負荷平準化システムでは、一日のうちで電力供給装置の負荷が低い時間帯（電力使用推奨時間）を各需要家に提示してこの時間帯での電力の使用を促すことで、電力需要のボトム電力を増加させることができる。また、これに伴って電力需要のピーク電力も削減することが期待でき、電力供給装置の負荷が全体的に平準化される。【０００４】
また、電力供給装置の負荷が平準化されることで電力会社は電力需要にあわせて電力供給装置の発電量を制御するためのコストを削減できる。このため、電力使用推奨時間を提示するだけでなく、その時間の電気料金の割引等を行えば、需要家である電力使用者は意図してその時間に安い電力を使用することが期待でき、さらに効果的に電力需要の平準化が図られる。【０００５】
一例として、家庭においては深夜電力契約や時間帯別電灯契約を使ってお湯を沸かす電気温水器やヒートポンプ給湯器がすでに普及している。前日の深夜（例えば午後１１時〜午前７時の間）の電気料金の安い時間帯の電力を使って沸かしたお湯を貯湯タンクに貯めておき、このお湯を日中や朝、夜の食事やシャワー、入浴に使う。これにより、お湯を沸かすための電力需要を前日の深夜の時間帯にシフトさせている。【０００６】
電気温水器及びヒートポンプ給湯器では、貯湯タンクへ貯めるお湯を電力需要の少ない夜間に作り、昼間に使用することが一般的に行われている。これにより、昼間と比べて電力需要が少ない夜間へ機器の運転がシフトするので、電力需要の平準化が可能となる。また、ユーザにとっても電力料金が安い夜間に電力を使用することにより電気代を削減できるというメリットがある。【０００７】
これら深夜電力対応の電気温水器やヒートポンプ給湯器は、その機器内に時計手段を持ち、予め電力会社との契約で設定された時刻となったときに沸き上げ運転を開始している。つまり、これらの機器は予め設定された運転開始時刻（または運転終了時刻）で予約運転を毎日行っている。【０００８】
今後は、太陽光発電装置や風力発電装置などの自然エネルギー発生装置が普及することが考えられる。しかし、これらの自然エネルギー発生装置では気候や時刻によって発電量が大きく変化することが予想される。【０００９】
ところで、太陽光発電装置や風力発電装置の普及が進んでいる地域ではリアルタイムプライシング制度を取り入れている国がある。深夜電力契約では、毎日午後１１時〜午前７時の決まった時間帯に電気料金が安くなるのに対して、リアルタイムプライシングでは、太陽光発電装置や風力発電装置の発電量などに応じてリアルタイムに電力料金が変動する。このため、同じ時間帯であっても日によって電気料金が変動する。【００１０】
このような状況では、電力需要を制御する技術が今後ますます重要になる。電力需要を平準化し、電力需要に応じて発電量を制御する従来のシステムだけでなく、変動する発電量に応じて電力需要を制御する新たなシステムが必要となる。【００１１】
例えば、電力会社は変動する発電量に応じて電気料金を変動させ、発電量が多いときは電気料金を安くし、発電量が少ないときは電気料金を高くする。このようにすれば、電力会社は変動する発電量に応じて電力需要を制御することができる。【００１２】
そこで、ホームサーバを介して家電機器を制御する家電機器の制御システムが提案されている（例えば、特許文献２参照）。この制御システムは、複数の家電機器の運転条件と予め記憶されている条件とを比較して、理想の運転パターンを算出して家電機器を制御するホームサーバと、ホームサーバの制御により理想の運転パターンに基づいて運転される家電機器とを備えている。【００１３】
そして、電気料金の安い時間帯に家電機器が運転されるように、電力会社（電力供給者）から提供される電気料金メニューを理想の運転パターンとしてホームサーバに記憶する。ホームサーバは、この電気料金メニューを予め入力した運転条件と比較、演算して電気料金の安い時間帯に洗濯乾燥機や炊飯器、ポットを運転させる。【００１４】
このときに特許文献２では、上記家電機器の希望する使用時間をユーザが入力操作パネルを操作しホームサーバに入力する。そして、家電機器に接続されているホームサーバ側で、当該ユーザが希望した使用時間及び使用する家電機器の特性等を考慮し、最適な使用時間帯計画を作成し、その計画に従って家電機器を制御する構成が開示されている。【００１５】
しかしながら、上記の従来技術では、電気料金等を考慮し、家電機器の稼動時間を最適な時間帯にシフトするためのアルゴリズムは記述されているものの、家電機器のタイムシフト機能をどのように使用するかについては、十分な検討はなされていなかった。【００１６】
一般的に、ユーザの満足性と電気料金の安さとはトレードオフの関係にあると考えられる。例えば、電気料金が安い時間帯に家電機器を稼動させた場合、ユーザは希望時間に家電機器を稼動させられなかったことに対する不満感や、適切な時間帯よりも早く衣類を乾燥させたがために衣類にシワが生じやすくなったというように仕上がり結果に対する不満感が高くなる。逆に、ユーザの希望時間に家電機器を稼動させることを優先したり、衣類へのシワが生じにくくなる時間帯に衣類の乾燥を行うことで、電気料金が通常よりも高くなることがある。【００１７】
実際には、ユーザは、満足性と電気料金の安さとのトレードオフを意識しながら、それらの妥協点を見出し、ある程度の電気料金を犠牲にしつつ、ある程度の満足性を得ようとする。
【先行技術文献】
【特許文献】
【００１８】
【特許文献１】特開２００７−１２４７９３号公報
【特許文献２】特開２００８−０６７４７３号公報
【発明の概要】
【００１９】
本発明の家電機器は、希望運転開始時刻又は希望運転終了時刻を示す希望時刻情報を入力する入力操作部と、希望時刻情報によって確定される所定期間内において運転された場合に課金される電気代が所定料金以下となる運転開始時刻又は運転終了時刻と、その時の電気代を含むタイムシフト演算結果を受信する受信部と、タイムシフト演算結果を評価するための基準値を記憶する記憶部と、タイムシフト演算結果と記憶部に記憶される基準値とを比較する比較処理を行う比較評価部と、タイムシフト演算結果に基づいて運転を制御する運転制御部と、運転に関する情報を表示するための表示部とを備える。表示部は、比較評価部による比較結果に応じて表示方法を変更する。
【００２０】
このような構成によれば、ユーザの満足性と電気料金の安さとの両立を図る家電機器の運転設定を簡便かつ直感的に行うことができる。
【図面の簡単な説明】
【００２１】
【図１】図１は本発明の実施の形態１に係る機器制御システムの概略構成を示す説明図である。
【図２】図２は本発明の実施の形態１に係る機器制御システムの構成を示す図である。
【図３】図３は本発明の実施の形態１に係る機器制御システムの動作について説明するためのフローチャートである。
【図４】図４は本発明の実施の形態１におけるタイムシフト期間及び運転期間を説明するための模式図である。
【図５】図５は本発明の実施の形態１に係る家電機器の動作について説明するためのフローチャートである。
【図６】図６は本発明の実施の形態１に係る家電機器の入力操作部の一例を示す説明図である。
【図７】図７は本発明の実施の形態１に係る家電機器の入力操作部の他の例を示す説明図である。
【図８】図８は本発明の実施の形態１に係る家電機器の入力操作部のさらに他の例を示す説明図である。
【図９】図９は本発明の実施の形態１に係る家電機器の表示部のさらに他の表示例を示す説明図である。
【図１０】図１０は本発明の実施の形態１に係る家電機器の表示部のさらに他の表示例を示す説明図である。
【図１１】図１１は本発明の実施の形態１に係る家電機器の表示部のさらに他の表示例を示す説明図である。
【図１２】図１２は本発明の実施の形態１におけるタイムシフト期間及び運転期間を説明するための別の模式図である。
【図１３】図１３は本発明の実施の形態１におけるタイムシフト期間及び運転期間を説明するための別の模式図である。
【発明を実施するための形態】
【００２２】
以下添付図面を参照しながら、本発明の実施の形態について説明する。尚、以下の実施の形態は、本発明を具体化した一例であって、本発明の技術的範囲を限定するものではない。
【００２３】
（実施の形態１）
図１は、本発明の実施の形態１に係る機器制御システムの概略構成を示す説明図である。図１に示す機器制御システム１００は、機器制御装置１０、家電機器２０、３０、４０を備える。
【００２４】
本実施の形態では、家電機器として洗濯乾燥機を例に説明するが、本発明の家電機器はこれに限定されず、運転開始および運転終了の両方のタイマ予約運転機能を備える家電機器に好適に適応することができる。このような家電機器としては、例えば、エアコン、洗濯機、衣類乾燥機、電磁調理器（ＩＨ）、電気給湯機、食器洗浄機、炊飯器、生ゴミ処理機等がある。
【００２５】
機器制御装置１０と家電機器２０、３０、４０とは、無線又は有線のホームネットワークにより情報を相互に送受信可能に接続されている。なお、図１では、３つの家電機器が機器制御装置１０に接続されているが、本発明はこれに限定されず、少なくとも１台の家電機器が機器制御装置１０に接続されていればよい。
【００２６】
本実施の形態では、機器制御装置１０、家電機器２０、３０、４０は宅内に設置されているものとして説明するが、機器制御装置１０や家電機器２０、３０、４０のうちいずれかが外部に設置されていてもよい。また、後述するように、屋内に設置される家電機器２０、家電機器３０及び家電機器４０同士が無線又は有線による通信手段により通信可能に接続されることで家電機器２０、家電機器３０及び家電機器４０のいずれかが、以下に説明する機器制御装置１０の機能を備える構成としてもよい。
【００２７】
また、以下の説明では、家電機器（洗濯乾燥機）２０の構成及び動作について説明するが、その構成及び動作の説明は、家電機器３０及び家電機器４０に適用できるものとし、その説明を省略する。
【００２８】
図２は、本発明の実施の形態１に係る機器制御システムの構成を示す図である。図２に示す機器制御システム１００は、機器制御装置１０及び家電機器２０、３０、４０を備える。
【００２９】
家電機器２０は、入力操作部３１、送信部３２、受信部３３、運転制御部３４、比較評価部３５、記憶部３６、表示部３７を備える。機器制御装置１０は、受信部１１、タイムシフト期間設定部１２、電力料金情報取得部１３、タイムシフト演算部１４及び送信部１５を備える。
【００３０】
入力操作部３１は、例えば操作画面などを備えた入力端末であり、ユーザによる情報の入力を受け付ける。入力操作部３１は、ユーザが希望する家電機器２０の希望運転終了時刻を示す希望時刻情報、家電機器２０が運転に要する期間を示す運転期間情報及び家電機器２０が運転に要する電力を示す電力情報の入力を受け付ける。なお、本実施の形態では、入力操作部３１は、ユーザによる家電機器２０の希望運転終了時刻の入力のみを受け付けているが、本発明は特にこれに限定されず、家電機器２０の希望運転開始時刻の入力のみを受け付けてもよく、家電機器２０の希望運転終了時刻及び希望運転開始時刻の両方の入力を受け付けてもよい。入力操作部３１は、希望時刻情報、運転期間情報及び電力情報を送信部３２へ出力する。
【００３１】
送信部３２は、ユーザが希望する家電機器２０の希望運転終了時刻を示す希望時刻情報、家電機器２０が運転に要する期間を示す運転期間情報及び家電機器２０が運転に要する電力を示す電力情報を機器制御装置１０へ送信する。なお、送信部３２は、希望運転終了時刻のみを示す希望時刻情報を機器制御装置１０へ送信するのではなく、希望運転開始時刻のみを示す希望時刻情報を機器制御装置１０へ送信してもよい。また、送信部３２は、希望運転終了時刻及び希望運転開始時刻の両方を示す希望時刻情報を機器制御装置１０へ送信してもよい。
【００３２】
機器制御装置１０の受信部１１は、ユーザが希望する家電機器２０の希望運転終了時刻を示す希望時刻情報、家電機器２０が運転に要する期間を示す運転期間情報及び家電機器２０が運転に要する電力を示す電力情報を受信する。なお、受信部１１は、希望運転終了時刻のみを示す希望時刻情報を受信するのではなく、希望運転開始時刻のみを示す希望時刻情報を受信してもよい。また、受信部１１は、希望運転終了時刻及び希望運転開始時刻の両方を示す希望時刻情報を受信してもよい。
【００３３】
タイムシフト期間設定部１２は、受信部１１によって受信された希望時刻情報を含む時間幅を有し、家電機器２０の運転開始時刻又は運転終了時刻をずらすことが可能な期間を表すタイムシフト期間を設定する。例えば、タイムシフト期間設定部１２は、希望運転終了時刻を基準として前後２時間の時間幅を有するタイムシフト期間を設定する。
【００３４】
電力料金情報取得部１３は、時間毎に変化する電力料金を示す電力料金情報を取得する。電力料金情報は、例えば電力会社から提供される。電力料金情報取得部１３は、例えば前日に当日の電力料金情報を取得し、内部のメモリに記憶する。電力料金情報は、２４時間分の１ｋＷｈ当たりの電力料金の変動を表す。電力料金はたとえば１時間毎に、時間に応じて変動している。
【００３５】
このような電力料金の変動には、家電機器のある家庭に太陽電池及び燃料電池等の電力供給源や、蓄電池が設置されることで家庭への電気の供給体制が大きく変わることからリアルタイムに電気代が変動するリアルタイムプライシングが反映されている。リアルタイムプライシングとは、一般に、事前に電力会社から通知される電力料金情報を示す。また、リアルタイムプライシングは、電力会社からの電力料金情報だけでなく、それに加えて家庭内の電力供給源及び蓄電池等の機器運用情報、買電力料金情報及び売電力料金情報の過去の実績から作成される電力料金情報を示す場合もある。以上のように、電力料金情報は、電力会社からの電力料金情報だけでなく、家庭における機器運用情報、買電力料金情報及び売電力料金情報の過去の実績から作成される、ある家庭だけで適応される電力料金情報であってもよい。要は、時間に依存して変動する電力料金がわかればよいのであって、その情報の入手方法は問わない。
【００３６】
タイムシフト演算部１４は、受信部１１によって受信された希望時刻情報、運転期間情報及び電力情報と、電力料金情報取得部１３によって取得された電力料金情報とに基づいて、タイムシフト期間設定部１２によって設定されたタイムシフト期間内において家電機器２０が運転された場合に課金される電気代が所定料金以下となる運転開始時刻とその時の電気代を演算する。なお、タイムシフト演算部１４は、運転開始時刻のみを演算するのではなく、運転終了時刻のみを演算してもよく、また、運転開始時刻及び運転終了時刻の両方を演算してもよい。
【００３７】
送信部１５は、タイムシフト演算部１４によって演算された運転開始時刻を家電機器２０に送信する。なお、送信部１５は、運転開始時刻のみを送信するのではなく、運転終了時刻のみを送信してもよく、また、運転開始時刻及び運転終了時刻の両方を送信してもよい。
【００３８】
家電機器２０の受信部３３は、機器制御装置１０から送信された運転開始時刻を受信する。なお、受信部３３は、運転開始時刻のみを受信するのではなく、運転終了時刻のみを受信してもよく、また、運転開始時刻及び運転終了時刻の両方を受信してもよい。
【００３９】
記憶部３６は、受信部３３が受信した運転開始時刻を記憶する。なお、記憶部３６は、運転開始時刻のみを記憶するのではなく、運転終了時刻のみを記憶してもよく、また、運転開始時刻及び運転終了時刻の両方を記憶してもよい。
【００４０】
運転制御部３４は、記憶部３６に記憶されている運転開始時刻に基づいて、家電機器２０の運転を制御する。すなわち、運転制御部３４は、現在時刻が記憶部３６に記憶された運転開始時刻になると運転開始信号を出力し、家電機器２０の運転を開始するよう制御する。
【００４１】
なお、記憶部３６が運転終了時刻を記憶している場合、運転制御部３４は、記憶部３６に記憶された運転終了時刻に運転が終了するように運転開始時刻を決定する。そして、運転制御部３４は、現在時刻が決定した運転開始時刻になると運転開始信号を出力し、家電機器２０の運転を開始するよう制御する。
【００４２】
さらに、家電機器２０の比較評価部３５は、記憶部３６が記憶する電気代の基準値と受信部３３を経て取得された電気代を比較し、その比較結果を表示部３７が表示出力する。
【００４３】
次に、本実施の形態における機器制御システム１００の動作について説明する。図３は、本実施の形態における機器制御システムの動作について説明するためのフローチャートである。なお、図３において右側のフローは家電機器２０の動作を示し、左側のフローは機器制御装置１０の動作を示している。
【００４４】
まず、ステップＳ１において、家電機器２０の入力操作部３１は、ユーザが希望する家電機器２０の希望運転終了時刻を示す希望時刻情報、家電機器２０が運転に要する期間を示す運転期間情報及び家電機器２０が運転に要する電力を示す電力情報の入力を受け付ける。希望運転終了時刻は、ユーザが希望する家電機器２０の運転終了時刻を表す。
【００４５】
例えば、ユーザは、希望運転終了時刻の入力に際し、「１８：００」等の実際の希望運転終了時刻を入力したり、あるいは「８時間後」等の現在の時刻から運転を終了するまでの時間を入力する。
【００４６】
入力操作部３１は、実際の希望運転終了時刻を送信部３２へ出力する。入力操作部３１は、現在の時刻から運転を終了するまでの時間が入力された場合、実際の希望運転終了時刻を算出して送信部３２へ出力する。
【００４７】
また、ユーザが入力操作部３１によって入力する情報は、希望運転終了時刻、家電機器２０が運転に要する運転期間情報、家電機器２０が運転に要する電力情報である。しかしながら、入力操作部３１が、ユーザにより運転条件の入力を受け付けるとともに、受け付けた運転条件に基づいて希望運転終了時刻、運転期間情報及び電力情報を特定することが可能である場合、ユーザが、希望運転終了時刻、運転期間情報及び電力情報を入力する必要はない。
【００４８】
例えば、家電機器２０が洗濯乾燥機であれば、入力操作部３１によって洗濯コース（標準コース、省エネコース及び時短コースなど）が選ばれることにより、その洗濯コースに対応した運転期間情報及び電力情報が特定できるので、ユーザが運転期間情報及び電力情報を入力する必要はない。要は、何らかの入力情報によって希望運転終了時刻、運転期間情報及び電力情報が特定できる場合は、ユーザが個々の情報を入力する必要はない。
【００４９】
また、家電機器２０は、入力操作部３１で入力された各情報を内部のメモリに記憶してもよい。ここで、入力操作部３１で入力された情報が洗濯コースなどの運転条件からの変換を要する情報であれば、入力操作部３１は、その洗濯コースに対応した希望運転終了時刻、運転期間情報及び電力情報が定められた変換対応テーブルを予め記憶しておいてもよい。
【００５０】
特に、家電機器２０が洗濯乾燥機であれば、運転の最中に複数の工程（例えば、洗濯工程、脱水工程及び乾燥工程など）が順次行われるので、運転期間情報及び電力情報は複雑なものとなる。入力操作部３１は、洗濯コース、洗濯衣類の重量、及び外気温等の検出結果ごとに複数の電力情報を記憶してもよい。
【００５１】
次に、ステップＳ２において、送信部３２は、希望時刻情報、運転期間情報及び電力情報を機器制御装置１０に送信する。
【００５２】
次に、ステップＳ３において、機器制御装置１０の受信部１１は、送信部３２によって送信された希望時刻情報、運転期間情報及び電力情報を受信する。受信部１１は、受信した希望時刻情報、運転期間情報及び電力情報をタイムシフト期間設定部１２へ出力する。
【００５３】
次に、ステップＳ４において、タイムシフト期間設定部１２は、受信部１１によって受信された希望時刻情報を含む時間幅を有するタイムシフト期間を設定する。例えば、タイムシフト期間設定部１２は、希望運転終了時刻を基準として前後２時間の時間幅を有するタイムシフト期間を設定する。タイムシフト期間の時間幅は、予め定められており、機器制御装置１０の内部のメモリに記憶されたタイムシフト期間がタイムシフト期間設定部１２によって読み出される。
【００５４】
なお、本実施の形態では、タイムシフト期間は、希望運転終了時刻の前後２時間の時間幅を有しているが、本発明は特にこれに限定されず、家電機器２０の種類に応じて最適な時間幅を設定してもよい。例えば、タイムシフト期間は、家電機器２０の運転に要する時間の２〜４倍程度が好ましい。
【００５５】
次に、ステップＳ５において、電力料金情報取得部１３は、時間毎に変化する電力料金を示す電力料金情報を取得する。なお、電力料金情報取得部１３は、内部のメモリに予め記憶している電力料金情報を読み出すが、本発明は特にこれに限定されず、電力料金情報取得部１３は、タイムシフト期間設定部１２によってタイムシフト期間が設定された場合、電力会社が運営する外部サーバにアクセスし、当該外部サーバから電力料金情報を取得してもよい。
【００５６】
次に、ステップＳ６において、タイムシフト演算部１４は、受信部１１によって受信された希望時刻情報、運転期間情報及び電力情報と、電力料金情報取得部１３によって取得された電力料金情報とに基づいて、タイムシフト期間設定部１２によって設定されたタイムシフト期間（所定期間）内において家電機器２０が運転された場合に課金される電気代が所定料金以下となる運転開始時刻を演算する。その後、タイムシフト演算部１４は、演算した運転開始時刻を送信部１５へ出力する。
【００５７】
次に、ステップＳ７において、送信部１５は、タイムシフト演算部１４によって演算された運転開始時刻を家電機器２０へ送信する。
【００５８】
次に、ステップＳ８において、家電機器２０の受信部３３は、機器制御装置１０の送信部１５によって送信された運転開始時刻を受信する。そして、ステップＳ９において、受信部３３は受信した運転開始時刻を記憶部３６へ出力し、記憶部３６は運転開始時刻を記憶する。
【００５９】
次に、ステップＳ１０において、運転制御部３４は、現在の時刻が記憶部３６に記憶されている運転開始時刻になったか否かを判断する。現在の時刻が記憶部３６に記憶されている運転開始時刻になっていないと判断された場合（ステップＳ１０、ＮＯ）は待機状態となり、現在の時刻が記憶部３６に記憶されている運転開始時刻になるまで所定のタイミングでステップＳ９の判断処理を繰り返す。一方、現在の時刻が記憶部３６に記憶されている運転開始時刻になったと判断された場合（ステップＳ１０、ＹＥＳ）は、ステップＳ１１において、運転制御部３４は家電機器２０の運転を開始する。なお、運転制御部３４は、入力操作部３１によって運転条件が入力された場合、当該運転条件に従って家電機器２０を運転する。
【００６０】
図４は、本発明の実施の形態１におけるタイムシフト期間及び運転期間を説明するための模式図である。図４の上方において、横軸は時間を表し、図４の下方において、横軸は時間を表し、縦軸は電力料金Ｙ（ｔ）（円／ｋＷｈ）を表している。
【００６１】
現在時刻ｔａにおいて、入力操作部３１によって、希望運転終了時刻ｔｂを示す希望時刻情報の入力が受け付けられた場合、タイムシフト期間設定部１２は、希望運転終了時刻ｔｂを基準として前後２時間の時間幅を有するタイムシフト期間Ｔｚを設定する。
【００６２】
そして、タイムシフト演算部１４は、希望時刻情報、運転期間情報、電力情報及び電力料金情報（電力料金Ｙ（ｔ））に基づいて、タイムシフト期間Ｔｚ内において家電機器２０が運転された場合に課金される電気代が所定料金以下となる運転期間Ｔｘを演算し、当該運転期間Ｔｘに基づいて運転開始時刻を演算する。
【００６３】
タイムシフト演算部１４は、下記の（１）式を用いて、家電機器２０が運転された場合に課金される電気代を算出する。すなわち、タイムシフト演算部１４は、時間帯別の電力料金Ｙ（ｔ）に家電機器２０が運転に要する電力Ｐ（ｔ）を乗算した値を、タイムシフト期間内の運転開始時刻ｔ１から運転終了時刻ｔ２までの運転期間で積分することにより、課金される電気代を算出することができる。
【００６４】
【数１】
0006019411.tif 000002
【００６５】
なお、電力Ｐ（ｔ）は、特定期間のピーク電力で電気料金が決まる場合等、時間以外の要因で決定されることもある。また、電気代が最も安くなる複数の運転期間Ｔｘが抽出された場合、タイムシフト演算部１４は、複数の運転期間Ｔｘのうち、運転終了時刻が希望運転終了時刻に最も近い運転期間Ｔｘを選択する。
【００６６】
図５は、本発明の実施の形態１に係る家電機器の動作について説明するためのフローチャートである。図６は、本発明の実施の形態１に係る家電機器の入力操作部の一例を示す説明図である。図６は、入力操作部３１の一例として、ユーザがスタートボタンＳＳを押下した状態を示している。
【００６７】
図７は、本発明の実施の形態１に係る家電機器の入力操作部の他の例を示す図である。図７は、入力操作部３１の他の例として、タイマ予約時間と表示部３７の一例であるＬＥＤ  Ｌｓが点滅表示されている状態を示している。図８は、本発明の実施の形態１に係る家電機器の入力操作部のさらに他の例を示す説明図である。図８は、入力操作部３１のさらに他の例として、タイマ予約時間、ＬＥＤ  Ｌｓが点灯表示されている状態を示している。
【００６８】
図９、図１０、図１１は、本発明の実施の形態１に係る家電機器の表示部のさらに他の表示例を示す説明図である。図９、図１０、図１１は、入力操作部３１とＬＥＤ  Ｌｓの他の例として、ＬＥＤ  Ｌｓの状態を見ながら増減ボタン（＋ボタンおよび−ボタン等）ＳＣが押下されタイマ予約時間が調整された状態を示している。
【００６９】
まず、ステップＳ２１において、ユーザが家電機器２０の入力操作部３１を操作して運転条件を設定した上でスタートボタンＳＳを押下する（図６）。すると送信部３２は、選択された運転条件に対応した家電機器２０の運転期間情報及び電力情報、及び運転動作禁止時間帯情報を機器制御装置１０の受信部１１に送信する（ステップＳ２２）。
【００７０】
その後、所定時間内に機器制御装置１０から運転開始時間（タイムシフト時間）を受信しなければ（ステップＳ２３、ＮＯ）、システム異常と判断する（ステップＳ２４）。一方、所定時間内に機器制御装置１０から運転開始時間を受信すると（ステップＳ２３、ＹＥＳ）、運転制御部３４は受信した運転開始時間に基づいて、当該運転開始時刻をタイマ予約時間として設定する（ステップＳ２５）。そして、運転制御部３４にて設定された運転開始時刻がタイマ予約時間として、表示部３７の表示パネル３７Ｐに点滅表示される。また、比較評価部３５による比較結果がＬＥＤ  Ｌｓの表示として、表示部３７に点滅表示される（ステップＳ２６）。
【００７１】
この場合、図７に示すように、タイマ予約時間（８時間後）を示す「８」が、点灯表示ではなく点滅表示される。これにより、ユーザは、自身の入力操作により指示した予約時間ではなく、機器制御装置１０側での演算の結果導き出された家電機器２０の運転に適した運転開始時刻であることを認識することができる。
【００７２】
また、ＬＥＤ  Ｌｓの表示結果の一例をあげると、ＬＥＤ  Ｌｓの発光色が赤色の場合は、電気代が高いことを示し、黄色の場合は電気代が通常であることを示し、また、緑色の場合は電気代が安いことを示す。このように、ＬＥＤ  Ｌｓの発光色を変えて表示することでユーザは自分が設定したタイマ予約時間内でのタイムシフトによる運転開始時間の電気代を客観的に評価することができる。
【００７３】
ステップＳ２６にて表示部３７に上記タイマ予約時間が表示されてから所定時間内に入力操作部３１の操作により、タイマ予約のキャンセル指示が入力された場合（ステップＳ２７、ＹＥＳ）、運転制御部３４は、家電機器２０が直ちに動作するように制御する（ステップＳ２８）。
【００７４】
また、ステップＳ２６にて表示部３７に上記タイマ予約時間、比較評価部３５による比較結果が表示されてから所定時間内に入力操作部３１の操作により、図９に示すようにタイマ予約時間を調整するための増減ボタン（＋ボタンおよび−ボタン等）ＳＣが押下されたか否かが判断される（ステップＳ２９）。ここで、増減ボタンＳＣが押下された場合には（ステップＳ２９、ＹＥＳ）、タイマ予約時間（２時間後）の表示、電気代が高いことを示しているＬＥＤ表示（濃い色）が、増減ボタンＳＣの押下に合わせて変更される（ステップＳ３０）。
【００７５】
図１０では、ユーザが増減ボタンＳＣの＋ボタンを押下し、２時間後から３時間後にタイマ予約時間を変更している。この場合、ＬＥＤ表示はやや濃い色となり、電気代は高くも、安くもない標準であることを示している。
【００７６】
このように、運転制御部３４は、表示部３７の表示パネル３７Ｐにタイマ予約時間（２時間後）が表示されてから所定時間内であってタイマ予約のキャンセル指示が入力されるまでの期間中に、ユーザが入力操作部３１の増減ボタンＳＣ（時間調整ボタン）を操作することにより、機器制御装置１０から受信したタイムシフト演算結果によるタイマ予約時間を増減させることができる。
【００７７】
同様に、図１１では、ユーザが増減ボタンＳＣの＋ボタンを押下し、３時間後から４時間後にタイマ予約時間を変更している。この場合、ＬＥＤ表示は薄い色となり、電気代は安いことを示している。このように、増減ボタンＳＣの増減単位と表示部３７の表示方法が変更される時間単位とを合わせているので、タイマ予約時間の変更による電気代の変化がより分かりやすくなる。
【００７８】
次に入力されたタイマ予約時間で設定された運転時間での家電機器２０の電気代が高いか安いかを判断する基準となる基準値について説明する。基準値は記憶部３６に記憶されており、電力料金情報取得部１３により取得された電力料金が安いのかどうかを示すための基準として使用する。その基準の設定方法として、絶対的な方法、相対的な方法の２つの方法が考えられる。
【００７９】
基準の絶対的な設定方法の一例としては、予めユーザが考える高い電気代、安い電気代を具体的に入力してもらう方法がある。この方法によると、ユーザに基準値を入力してもらうという手間を生じさせるが、ユーザが設定した基準値によって電気代を評価することができるので、ユーザが考える電気代の値ごろ感によりマッチした結果を表示することができる。ここで、予めユーザにより入力してもらう基準値としての電気代は、予め指定される範囲であってもよい。また、予め指定される範囲は、複数設定してもよい。これにより、ユーザに合わせた基準値をより設定しやすくなる。
【００８０】
また、基準の絶対的な設定方法の他の例としては、タイマ予約時間を入力している時の電力料金、例えば、２２円／ｋＷｈをデフォルトの基準値として使用する方法もある。
【００８１】
また、基準の相対的な設定方法としては、図４に示す電力料金の時間変化を使用する方法がある。この設定方法によると、ユーザに基準値を入力してもらう手間を省くことができるので、より簡単に基準値を設定することができる。また、相対的に現時点の電力料金が高いのか安いのかをユーザにわかりやすく示すことができる。
【００８２】
次に、基準の相対的な設定方法の一例を、図１２、図１３を使用して説明する。図１２は、本発明の実施の形態１におけるタイムシフト期間及び運転期間を説明するための別の模式図である。
【００８３】
図１２は、横軸を時間、縦軸を電力料金として電力料金の変化を示している。また、図１２は、現在時刻ｔａ、希望運転終了時刻ｔｂ、運転期間Ｔｘの開始時刻である運転開始時刻ｔｃ、運転期間Ｔｘ、そして、運転開始時刻ｔｃの電力料金Ｙｃ、希望運転終了時刻ｔｂの電力料金Ｙｂも同時に示している。
【００８４】
図１２に示すように、ユーザが希望する希望運転終了時刻ｔｂの電力料金Ｙｂを基準として運転開始時刻ｔｃの電力料金Ｙｃを比較することで、ユーザが希望する希望運転終了時刻ｔｂまでの電力料金の安さをより分かりやすく示すことができる。
【００８５】
なお、上記説明では電力料金Ｙｂを基準として運転開始時刻Ｔｃの電力料金Ｙｃを比較したが、運転期間Ｔｘの電力料金の平均を比較してもよい。要はユーザが希望する希望運転終了時刻ｔｂまでの電力料金の安さをより分かりやすく示すことができればよい。
【００８６】
さらに、基準の相対的な設定方法の他の例を、図１３を使用して説明する。図１３は、本発明の実施の形態１におけるタイムシフト期間及び運転期間を説明するための別の模式図である。
【００８７】
図１３は、図１２と同様に、横軸を時間、縦軸を電力料金として電力料金の変化を示している。また、図１３は、現在時刻ｔａ、希望運転終了時刻ｔｂ、運転期間Ｔｘの開始時刻である運転開始時刻ｔｃ、運転期間Ｔｘ、そして、運転開始時刻ｔｃの電力料金Ｙｃ、運転開始時刻ｔｃから所定時間前の電力料金の平均Ｙｄも同時に示している。なお、図１３では所定時間として２４時間とする。
【００８８】
図１３に示すように、運転開始時刻ｔｃまでの２４時間の電力料金の平均Ｙｄを基準として運転開始時刻ｔｃの電力料金Ｙｃを比較することで、今までの電力料金と比較することができる。これにより、電力料金の安さをより分かりやすく示すことができる。
【００８９】
上記の構成により、ユーザは、タイムシフト演算部１４の演算結果として表示された家電機器２０の最適運転開始時刻（電気代が最も安くなる運転期間の運転開始時刻）から、増減ボタンＳＣを押下するという簡単な操作で、所望の運転開始時刻に変更することができる。
【００９０】
これにより、例えば、２時間後に運転を開始したのでは、所望の時間内に洗濯物の乾燥が完了しない場合に、−ボタンを押下することによって、運転開始時刻を早めることができる。また、例えば、８時間後に運転を開始した場合、電気代が十分に安い場合に、＋ボタンを押下することによって、予約開始時刻を遅らすことができる。
【００９１】
そして、増減ボタンＳＣ（時間調整ボタン）による入力が可能になってから所定時間が経過したとき、あるいは増減ボタンＳＣ（時間調整ボタン）による入力が行われてからその後所定時間入力がないとき（ステップＳ３１、ＹＥＳ）、運転制御部３４は、タイマ予約時間を確定し（ステップＳ３２）、タイマ予約時間が図７に示す点滅表示から図８に示す点灯表示に切り替わる。ここで、確定となるタイマ予約時間は、増減ボタンＳｃによる調整がなされていないときは機器制御装置１０側で演算した運転開始時刻（タイムシフト時間）であり、増減ボタンＳｃによる調整がなされたときはその調整後の運転開始時刻である。なお、増減ボタンＳｃにより運転開始時刻が調整された場合は、家電機器２０から機器制御装置１０へ調整後の運転開始時刻の情報が送信される。
【００９２】
ステップＳ３２でタイマ予約が確定した後に予約時間になるまでに予約がキャンセルされた場合（ステップＳ３３、ＹＥＳ）、運転制御部３４は、家電機器２０が動作しないように制御する（ステップＳ３４）。
【００９３】
このように、タイマ予約が確定してから当該タイマ予約に基づく運転開始時刻までに、ユーザが入力操作部３１を操作することによって、タイマ予約のキャンセル指示が入力された場合、運転制御部３４は家電機器２０が動作しないように制御することができる。具体的には、ユーザは、図９に示す入力操作部３１の点灯している予約ボタンＳＲを押下することによって、予約ボタンＳＲの点灯表示が消え、タイマ予約をキャンセルすることができる。
【００９４】
これにより、例えば、予約が確定した後にユーザが外出する必要が生じ、予約時間に家電機器２０を運転することに不都合が生じた場合であっても、予約ボタンＳＲを押下するといった簡単な入力操作部３１の操作によって、タイマ予約をキャンセルし、家電機器２０が稼動しないように制御することができる。この結果、タイムシフト機能を備えた家電機器２０を使用するユーザの利便性のさらなる向上を実現することができる。そして、このタイマ予約のキャンセル操作は、家電機器２０が備える既存の入力操作パネルやリモコン等を入力操作部３１や表示部３７として使用して容易に実現できる。
【００９５】
また、予約がキャンセルされることなく予約時間になれば、すなわち、機器制御装置１０から送信されてくる運転開始時刻になれば（ステップＳ３５、ＹＥＳ）、運転制御部３４は、家電機器２０を制御して運転を開始させる（ステップＳ３６）。
【００９６】
また、図９、図１０、図１１を使用して、ユーザの最適なタイマ予約設定に関して説明する。図９は、タイマ予約時間が２時間後であった場合、ＬＥＤ  Ｌｓの表示が濃い色になっていることを示している。これは、タイマ予約時間が２時間後であった場合、比較評価部３５の比較結果として電気代が高いことを示す。また、図１０は、タイマ予約時間が３時間後であった場合、ＬＥＤ  Ｌｓの表示がやや薄い色になっていることを示している。これは、タイマ予約時間が３時間後であった場合、比較評価部３５の比較結果として電気代が普通であることを示す。さらに、図１１は、タイマ予約時間が４時間後であった場合、ＬＥＤ  Ｌｓの表示が薄い色になっていることを示している。これは、タイマ予約時間が４時間後であった場合、比較評価部３５の比較結果として電気代が安いことを示す。
【００９７】
図９、図１０、図１１において、タイマ予約時間とＬＥＤ  Ｌｓの表示の関係を示したように、ユーザは何度も増減ボタンＳＣを押しながらタイマ予約時間を調整し、その時間に対応したＬＥＤの発光色を確認できるので、ユーザの満足性と電気料金の安さとの両立を図る設定を簡便かつ直感的に行うことができる。このように、本実施の形態では、タイマ予約時間に対する電気代をユーザにわかりやすく表示することができる。
【００９８】
ユーザは利便性を考えて家電機器２０を少しでも早く使用したいと思うが、一方、経済性の観点から電気代を安くしたいと思う。つまり、利便性と経済性のバランスを考えて、タイマ予約時間を設定する。また、利便性と経済性のバランスもユーザによって異なり、利便性を重視するユーザもいれば、経済性を重視するユーザもいる。
【００９９】
そこで、図９、図１０、図１１に示すタイマ予約時間とＬＥＤ  Ｌｓの表示を同時に操作、表示することで、ユーザに最適なタイマ予約時間を設定することができる。
【０１００】
なお、図１において、機器制御装置１０と家電機器２０とを一体とする構成でもよい。機器制御装置１０を含んだ家電機器２０から家電機器３０、４０を制御することができる。また、図２においても、機器制御装置１０と家電機器２０とを一体とする構成でもよい。
【０１０１】
また、本実施の形態では、家電機器の例として家庭にある家電機器で説明したが、これに限らず、事務所、工場及び施設などで扱われる家電機器においても同様の効果が得られる。
【０１０２】
また、本発明をプログラムとして記憶媒体や通信媒体によって配布し、サーバやパーソナルコンピュータ、家電機器のマイクロコンピュータにインストールして実行させてもよい。
【０１０３】
以上説明したように、本発明の家電機器は、希望運転開始時刻又は希望運転終了時刻を示す希望時刻情報を入力する入力操作部と、希望時刻情報によって確定される期間内において運転された場合に課金される電気代が所定料金以下となる運転開始時刻または運転終了時刻と、その時の電気代を含むタイムシフト演算結果を受信する受信部と、タイムシフト演算結果を評価するための基準値を記憶する記憶部と、タイムシフト演算結果と記憶部に記憶される基準値とを比較する比較処理を行う比較評価部と、タイムシフト演算結果に基づいて運転を制御する運転制御部と、運転に関する情報を表示するための表示部と、を備える。表示部は、比較評価部による比較結果に応じて表示方法を変更する。
【０１０４】
この構成によれば、ユーザの満足性と電気料金の安さとの両立を図る家電機器の運転設定を簡便かつ直感的に行うことができる。また、表示部を見ることによりユーザは何時に運転が終わるのか把握することができ、利便性を向上することができる。さらに、自ら設けた基準値に従ってタイムシフトの効果を客観的な観点から表示するので、ユーザは最適な時間であるかを容易に判断することができ、さらに利便性を向上することができる。
【０１０５】
さらに、希望時刻情報の入力中に、比較評価部による比較結果に応じて表示方法を変更できるので、ユーザと家電機器の双方で考えながら、家電機器の最適な運転開始時刻、または、運転終了時刻を決定することができ、さらに利便性を向上することができる。
【０１０６】
また本発明の家電機器では、比較評価部は、入力操作部により入力される希望時刻情報が変わる毎に比較処理を行ってもよい。この構成によると、希望時刻情報とタイムシフトの効果を示す比較結果を一対で見ることができるので、ユーザが最適な希望時刻を設定することができ、さらに利便性を向上することができる。
【０１０７】
また本発明の家電機器では、比較評価部は、入力操作部により希望時刻情報が入力されてから所定期間の間に入力動作がない場合に比較処理を行ってもよい。
【０１０８】
この構成によると、ユーザが入力動作中に比較結果が出ることによりユーザを混乱させたり、ユーザに確定ボタンを押させる手間を生じさせないので、より利便性を向上することができる。
【０１０９】
また本発明の家電機器では、記憶部に記憶される基準値はユーザにより予め指定される範囲であってもよい。この構成によると、ユーザに合わせた基準値を設定することができるので、より利便性を向上することができる。
【０１１０】
また本発明の家電機器では、ユーザにより予め指定される範囲は複数設定可能としてもよい。この構成によると、複数の範囲を設定できることにより、より確実に電気料金の値ごろ感を把握することができるので、より利便性を向上することができる。
【０１１１】
また本発明の家電機器では、記憶部に記憶される基準値は、希望時刻情報における希望時刻の電気代としてもよい。この構成によると、ユーザが希望する希望運転開始時刻または希望運転終了時刻における電力料金の安さをより分かりやすく示すことができる。
【０１１２】
また本発明の家電機器では、記憶部に記憶される基準値は、時間毎に変化する電力料金を示す電力料金情報に基いて演算される運転開始時刻から所定時間前の間の電力料金の平均値であってもよい。
【０１１３】
この構成によると、ユーザが経験した過去の電気料金を基準にして比較を行うのでユーザによって今の電気料金がお得であるかどうかをさらに実感できるので、より利便性を向上することができる。
【０１１４】
また本発明の家電機器では、入力操作部は数値の増減を指示するボタンとし、ボタンの増減単位と表示部の表示方法が変更される時間単位とを合わせる増減調整部を備えてもよい。この構成によると、希望時刻をより細かく設定できるので、最適な希望時刻を見つけることができ、より利便性を向上することができる。
【０１１５】
また本発明の家電機器では、表示部は、比較評価部による比較結果に応じて表示色を変更してもよい。この構成によると、表示色を使い、視覚的にユーザに訴えることができるので、より利便性を向上することができる。
【産業上の利用可能性】
【０１１６】
本発明に係る家電機器は、ユーザの満足性と電気料金の安さとの両立を図って運転開始時刻又は運転終了時刻を制御する家電機器に有用である。
【符号の説明】
【０１１７】
１０    機器制御装置
１１    受信部
１２    タイムシフト期間設定部
１３    電力料金情報取得部
１４    タイムシフト演算部
１５    送信部
２０，３０，４０    家電機器
３１    入力操作部
３２    送信部
３３    受信部
３４    運転制御部
３５    比較評価部
３６    記憶部
３７    表示部
１００    機器制御システム
【図１】
0006019411.tif 000003
【図２】
0006019411.tif 000004
【図３】
0006019411.tif 000005
【図４】
0006019411.tif 000006
【図５】
0006019411.tif 000007
【図６】
0006019411.tif 000008
【図７】
0006019411.tif 000009
【図８】
0006019411.tif 000010
【図９】
0006019411.tif 000011
【図１０】
0006019411.tif 000012
【図１１】
0006019411.tif 000013
【図１２】
0006019411.tif 000014
【図１３】
0006019411.tif 000015